(57)【要約】      （修正有）【課題】既設の他のガイドプーリを位置調整したり取外すことなく新たなガイドプーリをガイドバーに取付けたり、ガイドバーに取付けられるガイドプーリの差し換えや取換えを行うことができる、ワイヤーソーイングによる切断装置で用いられるガイドプーリを提供する。【解決手段】凹形の略コ字形状をなして角パイプよりなるガイドバー６が嵌合する嵌合部１１ａと、該嵌合部１１ａに捩込まれ、嵌合部１１ａに嵌合するガイドバー６を固定するボルト１１ｂよりなるクランプ１１と、一対のクランプ１１を平行に一定の間隔を存して連結する取付板１２を有するブラケット１３からなり、取付板１２には、ダイヤモンドワイヤーの掛けられるプーリ１４が回転自在に軸支される。【選択図】  図６
2004174689.tif 000002
【特許請求の範囲】
【請求項１】
鉄筋コンクリート構造物等に取外し可能に止着される取付台と、該取付台より突設され、ラックを添設したメインポールと、モータによって回転駆動される切削用ケーブル駆動用のメインプーリ及び上記ラックに噛合するピニオンを有し、メインポールに移動可能に装着されて、ピニオンの回転駆動によりメインポールに沿って移動する自走台と、上記メインポール又は自走台にメインポールに対し直交又は適宜の角度で交差して取付けられるガイドバーと、該ガイドバーに同一平面上に位置し、それぞれ芯合わせされて止着される複数のガイドプーリと、鉄筋コンクリート構造物等とメインプーリとの間に上記ガイドプーリを介して掛け渡される切削用ケーブルとからなる切断装置において、上記複数のガイドプーリのうち少なくとも一つに用いられるガイドプーリであって、凹形状をなしてガイドバーが嵌合する嵌合部と、該嵌合部に捩込まれ、嵌合部に嵌合するガイドバーを止着するボルト手段とからなるクランプを有し、切削用ケーブルが掛けられるプーリを回転自在に軸支したブラケットよりなることを特徴とするガイドプーリ。
【請求項２】
上記クランプが一対、ブラケットに並設されることを特徴とする請求項１記載のガイドプーリ。
【発明の詳細な説明】
【０００１】
【発明が属する技術分野】
コンクリートや鉄筋コンクリート造り、レンガやコンクリートブロック造り、或いは金属製等の構造物（以下、単に「鉄筋コンクリート構造物等」という）をダイヤモンドワイヤーよりなる切削用ケーブルを用いてワイヤーソーイングにより切断する切断装置において、切削用ケーブルをガイドするために用いられるガイドプーリに関する。
【０００２】
【従来技術】
【特許文献１】特開平７−１５８２９０号
図１は、上記特許文献１に開示される従来のワイヤーソーイングによる切断装置について示すもので、鉄筋コンクリート構造物等１にアンカーボルト等を用いて取外し可能に止着される取付台２と、該取付台２より突設され、ラックを添設した角パイプよりなるメインポール３と、モータによって回転駆動されるダイヤモンドワイヤー駆動用のメインプーリ４及び上記ラックに噛合して転動するピニオンを備え、メインポール３に移動可能に装着される自走台５と、メインポール３に直交して固定される角パイプよりなるガイドバー６と、該ガイドバー６に差込んで所望位置にボルトにて止着され、それぞれが同一平面上に位置する複数のガイドプーリ７ａ、７ｂ、７ｃと、鉄筋コンクリート構造物等１とメインプーリ４との間にガイドプーリ７ａ、７ｂ、７ｃを介して掛け渡されるダイヤモンドワイヤー８とよりなり、メインプーリ４を回転駆動してダイヤモンドワイヤー８を走行させ、鉄筋コンクリート構造物等１をワイヤーソーイングしながら自走台５を後退させて切断を行うようになっている。
【０００３】
自走台５の後退は、鉄筋コンクリート構造物等１の切断の進行に伴って弛むダイヤモンドワイヤー８の弛みを吸収するために行われるもので、自走台５の後退がメインポール端近くの限度まで達すると、自走台５は元に戻される。そしてこれにより弛んだダイヤモンドワイヤー８の弛みは、ガイドプーリ７ａ、７ｃを矢印方向のガイドバー６端に向け、またガイドプーリ７ｂを矢印方向のメインポール３に干渉する限度位置に向けて位置調整をすることにより吸収しているが、限度位置まで位置調整をしても弛みを吸収できないとき、或いは切断を再開して自走台５を再度元に戻し、ダイヤモンドワイヤー８の弛みを吸収する必要があるときには、図２に示すように新たなガイドプーリ７ｄがガイドバー６に取付けられる。こうしたガイドプーリ７ｄを取付けるに当たっては、ガイドプーリ７ｃをガイドバー６より一旦取外し、ガイドプーリ７ｄ、ガイドプーリ７ｃの順に差し込んで取付けるか、或いはガイドプーリ７ｃをメインポール３側に位置調整をしたのち、新たなガイドプーリ７ｄを差込み、ダイヤモンドワイヤー８の掛け換えを行う必要があった。
【０００４】
またガイドプーリを図１に示す配置状態で切断を行うときには、切断が終りに近付いて切断が完了するまでにはガイドプーリ７ｂを図３に示すように後退させておく必要がある。ガイドプーリ７ｂを後退させないまゝ切断が完了し、鉄筋コンクリート構造物等１より離れたダイヤモンドワイヤー８がガイドプーリ７ａ、７ｃ間に張設されるようになると、ガイドプーリ７ａ、７ｃ間のダイヤモンドワイヤー８とガイドプーリ７ｂに掛けられるダイヤモンドワイヤー８が互いに接触して擦れ合いにより破断するようになるからである。
【０００５】
ガイドプーリ７ｂを後退させるには、該ガイドプーリ７ｂが取付けられ、ガイドバー６に止着されるブラケットに対し、ガイドプーリ７ｂを位置調整可能に取付けられるようにしてもよいが、この場合、ブラケットの構造が複雑となり、手狭な箇所での調整作業も容易でない。そこで通常は、ガイドプーリ７ｂの差し換えや取換えを行っているが、差し換えや取換えを行うに当たっては、ガイドプーリ７ｃも取外さねばならない。
【０００６】
【発明が解決しようとする課題】
本発明は、ガイドプーリの差し換えや取換え、或いは新設が既設の他のガイドプーリの位置調整や取外しを行うことなくできるようにするもので、そのためのガイドプーリを提供することを目的とする。
【０００７】
【課題の解決手段】
請求項１に係わる発明は、鉄筋コンクリート構造物等に取外し可能に止着される取付台と、該取付台より突設され、ラックを添設したメインポールと、モータによって回転駆動される切削用ケーブル駆動用のメインプーリ及び上記ラックに噛合するピニオンを有し、メインポールに移動可能に装着されて、ピニオンの回転駆動によりメインポールに沿って移動する自走台と、上記メインポール又は自走台にメインポールに対し直交又は適宜の角度で交差して取付けられるガイドバーと、該ガイドバーに同一平面上に位置し、それぞれ芯合わせされて止着される複数のガイドプーリと、鉄筋コンクリート構造物等とメインプーリとの間に上記ガイドプーリを介して掛け渡される切削用ケーブルとからなる切断装置において、上記複数のガイドプーリのうち少なくとも一つに用いられるガイドプーリであって、凹形状をなしてガイドバーが嵌合する嵌合部と、該嵌合部に捩込まれ、嵌合部に嵌合するガイドバーを止着するボルト手段とからなるクランプを有し、切削用ケーブルが掛けられるプーリを回転自在に軸支したブラケットよりなるものである。
【０００８】
本発明によると、ガイドプーリの取付けや取外しが他のガイドプーリに影響を与えることなく、すなわち既設の他のガイドプーリの位置調整や取外しを行うことなくできるようになる。
【０００９】
本発明のガイドプーリは、切断装置に設けられる複数のガイドプーリのうち必要なものゝみ、例えば図１〜図３に示すガイドプーリ７ａ〜７ｄのうちのガイドプーリ７ｂ及び若しくは７ｄのみとしてもよいし、全てのガイドプーリ７ａ〜７ｄを本発明のガイドプーリとしてもよい。前者の場合、ガイドプーリ７ａ〜７ｄのうち、ガイドプーリ７ｂ及び若しくは７ｄが本発明のガイドプーリ、他は通常の既存のガイドプーリとされる。
【００１０】
請求項２に係わる発明は、請求項１に係わる発明において、クランプが一対、ブラケットに並設されることを特徴とする。
本発明によると、ガイドプーリは、ガイドバーにクランプにより二か所で止着されるため傾くことなく所定の向きに固定することができる。
【００１１】
ガイドプーリが傾かないように所定の向きに固定するには、クランプを幅広にしてガイドバーとの接触面積を広げるようにしてもよく、請求項１記載の発明のクランプは、こうした幅広のものも含むが、請求項２記載の発明の並設されたクランプによると、幅広のクランプに比べ軽量化され、又ガイドバーの取付面に凸部があっても所定の向きに取付けることができる。
【００１２】
【発明の実施の形態】
図４〜図６は本発明に係わるガイドプーリについて示すもので、凹形の略コ字形状をなして角パイプよりなるガイドバー６が嵌合する嵌合部１１ａと、該嵌合部１１ａに捩込まれ、嵌合部１１ａに嵌合するガイドバー６を固定するボルト手段としてのボルト１１ｂよりなるクランプ１１と、一対のクランプ１１を平行に一定の間隔を存して連結する取付板１２を有するブラケット１３からなり、切削用ケーブルとしてのダイヤモンドワイヤー８の掛けられるプーリ１４が取付板１２に回転自在に軸支されている。
【００１３】
ガイドプーリをガイドバー６に取付けるときには、図１〜図３に示すガイドバー６に各クランプ１１の嵌合部１１ａを当てゝ嵌合させ、ボルト１１ｂを捩込んで固定する。取外すときには逆にボルト１１ｂを弛め、クランプ１１をガイドバー６より離脱させる。
【００１４】
【発明の効果】
請求項１に係わる発明のガイドプーリによると、既設の他のガイドプーリを位置調整したり取外すことなく新たなガイドプーリをガイドバーに取付けたり、ガイドバーに取付けられるガイドプーリの差し換えや取換えを行うこともできる。
請求項２に係わる発明のガイドプーリによると、軽量化され、ガイドバーに所定の向きで確実に取付けることができる。
【図面の簡単な説明】
【図１】切断装置の正面図。
【図２】ガイドプーリを追加して取付けた切断装置の正面図。
【図３】切断を完了したときの状態を示す正面図。
【図４】本発明に係わるガイドプーリの斜視図。
【図５】同平面図。
【図６】同側面図。
【符号の説明】
１・・鉄筋コンクリート構造物等
２・・取付台
３・・メインポール
４・・メインプーリ
５・・自走台
６・・ガイドバー
７ａ、７ｂ、７ｃ、７ｄ・・ガイドプーリ
８・・ダイヤモンドワイヤー
１１・・クランプ
１１ａ・・嵌合部
１１ｂ・・ボルト
１２・・取付板
１３・・ブラケット
１４・・プーリ
【図１】
2004174689.tif 000003
【図２】
2004174689.tif 000004
【図３】
2004174689.tif 000005
【図４】
2004174689.tif 000006
【図５】
2004174689.tif 000007
【図６】
2004174689.tif 000008